(57)【要約】【課題】通信トランシーバへの信号レベルが優性になった場合に信号レベルを劣性に確実に保持することができる信号転送装置を提供する。【解決手段】ＣＡＮトランシーバ２０，２１と、電気光変換回路３０，３１と、光電気変換回路４０，４１と、光電気変換回路４０，４１の出力信号を反転するＮＯＴ回路５０，５１と、ＣＡＮトランシーバ２０，２１のＲＸ端子からの信号とＮＯＴ回路５０，５１の出力信号が入力され、電気光変換回路３０，３１に出力するＡＮＤ回路６０，６１とを備える。【選択図】図１
2019041146.tif 000002
【特許請求の範囲】
【請求項１】
通信ネットワークに接続され、送信用の信号出力端子から信号を出力するとともに受信用の信号入力端子で信号を入力する通信トランシーバと、
電気信号を光信号に変換して出力するための電気光変換回路と、
光信号を電気信号に変換して前記通信トランシーバの信号入力端子へ出力する光電気変換回路と、
を備える信号転送装置であって、
前記光電気変換回路の出力信号を反転するＮＯＴ回路と、
前記通信トランシーバの信号出力端子からの信号と前記ＮＯＴ回路の出力信号が入力され、前記電気光変換回路に出力するＡＮＤ回路と、
を備えることを特徴とする信号転送装置。
【請求項２】
前記ＡＮＤ回路をワイヤードＡＮＤ回路で構成したことを特徴とする請求項１に記載の信号転送装置。
【請求項３】
前記通信トランシーバへの信号レベルが優性から劣性になったときに前記光電気変換回路の出力信号を遅延して前記ＮＯＴ回路に送る遅延回路を更に備えることを特徴とする請求項１又は２に記載の信号転送装置。
【発明の詳細な説明】
【技術分野】
【０００１】
本発明は、信号転送装置に関するものである。
【背景技術】
【０００２】
特許文献１に開示の信号転送装置においては、ＣＡＮを構成する二つの伝送線路のそれぞれに接続され、且つ相互に光通信を行う一対の光電変換装置は、ＣＡＮ送信信号の信号レベルが優性（ドミナント）である場合に、ＣＡＮ受信信号の信号レベルを劣性（レセッシブ）に保持する調停制御手段を備える。具体的には、調停制御部は、ＰＭＯＳ型のトランジスタを備え、このトランジスタはソースが電源に、ゲートがＣＡＮ送信信号の信号線に、ドレインがＣＡＮ受信信号の信号線に接続されている。ＣＡＮ送信信号が劣性（レセッシブ）の場合、トランジスタがオフすることにより、バスの信号レベルに応じたＣＡＮ受信信号がそのまま光送信部に供給される。一方、ＣＡＮ送信信号が優性（ドミナント）の場合、トランジスタがオンすることにより、バスの信号レベルによらずＣＡＮ受信信号は劣性（レセッシブ）に保持される。
【先行技術文献】
【特許文献】
【０００３】
【特許文献１】特開２０１６−１９１７６号公報
【発明の概要】
【発明が解決しようとする課題】
【０００４】
ところが、調停制御部のＰＭＯＳ型のトランジスタがオンすると電源とグランド間に短絡が発生して突入電流がＣＡＮトランシーバに流れてしまうことが懸念される。
本発明の目的は、通信トランシーバへの信号レベルが優性になった場合に信号レベルを劣性に確実に保持することができる信号転送装置を提供することにある。
【課題を解決するための手段】
【０００５】
請求項１に記載の発明では、通信ネットワークに接続され、送信用の信号出力端子から信号を出力するとともに受信用の信号入力端子で信号を入力する通信トランシーバと、電気信号を光信号に変換して出力するための電気光変換回路と、光信号を電気信号に変換して前記通信トランシーバの信号入力端子へ出力する光電気変換回路と、を備える信号転送装置であって、前記光電気変換回路の出力信号を反転するＮＯＴ回路と、前記通信トランシーバの信号出力端子からの信号と前記ＮＯＴ回路の出力信号が入力され、前記電気光変換回路に出力するＡＮＤ回路と、を備えることを要旨とする。
【０００６】
請求項１に記載の発明によれば、光電気変換回路の出力信号がＮＯＴ回路で反転し、ＡＮＤ回路において、通信トランシーバの信号出力端子からの信号とＮＯＴ回路の出力信号が入力されて電気光変換回路に出力される。よって、本発明ではＡＮＤ回路は電源に直接繋がっておらず、通信トランシーバへの信号レベルが優性になった場合に信号レベルを劣性に確実に保持することができる。
【０００７】
請求項２に記載のように、請求項１に記載の信号転送装置において、前記ＡＮＤ回路をワイヤードＡＮＤ回路で構成するとよい。
請求項３に記載のように、請求項１又は２に記載の信号転送装置において、前記通信トランシーバへの信号レベルが優性から劣性になったときに前記光電気変換回路の出力信号を遅延して前記ＮＯＴ回路に送る遅延回路を更に備えるとよい。
【発明の効果】
【０００８】
本発明によれば、通信トランシーバへの信号レベルが優性になった場合に信号レベルを劣性に確実に保持することができる。
【図面の簡単な説明】
【０００９】
【図１】実施形態における信号転送装置の構成図。
【図２】ＡＮＤ回路の構成図。
【図３】遅延回路の構成図。
【図４】（ａ）は第１のＣＡＮトランシーバのＣＡＮ−Ｈ端子のレベルの変化を示すタイムチャート、（ｂ）は第１のＣＡＮトランシーバのＣＡＮ−Ｌ端子のレベルの変化を示すタイムチャート、（ｃ）は第１のＣＡＮトランシーバのＲＸ端子のレベルの変化を示すタイムチャート、（ｄ）は第１のＣＡＮトランシーバのＴＸ端子のレベルの変化を示すタイムチャート、（ｅ）は第１のＡＮＤ回路の遅延回路側入力のレベルの変化を示すタイムチャート、（ｆ）は第１のＡＮＤ回路の出力のレベルの変化を示すタイムチャート、（ｇ）は第２のＣＡＮトランシーバのＴＸ端子のレベルの変化を示すタイムチャート、（ｈ）は第２のＣＡＮトランシーバのＣＡＮ−Ｈ端子のレベルの変化を示すタイムチャート、（ｉ）は第２のＣＡＮトランシーバのＣＡＮ−Ｌ端子のレベルの変化を示すタイムチャート、（ｊ）は第２のＣＡＮトランシーバのＲＸ端子のレベルの変化を示すタイムチャート、（ｋ）は第２のＡＮＤ回路の遅延回路側入力のレベルの変化を示すタイムチャート、（ｌ）は第２のＡＮＤ回路の出力のレベルの変化を示すタイムチャート。
【図５】別例の信号転送装置の構成図。
【図６】別例の信号転送装置の構成図。
【発明を実施するための形態】
【００１０】
以下、本発明を具体化した一実施形態を図面に従って説明する。
図１に示すように、第１の通信ネットワークとしての２線式の第１のＣＡＮネットワーク１１と第２の通信ネットワークとしての２線式の第２のＣＡＮネットワーク１２との間に第１の光ケーブル（光ネットワーク）Ｌｏ１及び第２の光ケーブル（光ネットワーク）Ｌｏ２を介在させている。第１のＣＡＮネットワーク１１と第２のＣＡＮネットワーク１２とを光リンクを用いて電気的に絶縁している。即ち、ＣＡＮバス（１１）とＣＡＮバス（１２）との間には光絶縁回路としての信号転送装置１０が配置されている。第１のＥＣＵ１３が第１のＣＡＮネットワーク１１に接続されている。第２のＥＣＵ１４が第２のＣＡＮネットワーク１２に接続されている。このように、第１のＣＡＮネットワーク１１と第２のＣＡＮネットワーク１２とを、光リンクを用いて電気的に絶縁することにより、ノイズ遮断、通信距離延長等が図られる。
【００１１】
ＣＡＮのバス信号は、優性（ドミナント）と劣性（リセッシブ）の２つのレベルがあり、優性は劣性より優先順位が高く、例えばＣＡＮバス（１１）に繋がる第１のＥＣＵ１３が優性であるとバス（１１）は優性レベルになる。
【００１２】
信号転送装置１０は、第１の通信トランシーバとしての第１のＣＡＮトランシーバ２０と第２の通信トランシーバとしての第２のＣＡＮトランシーバ２１を備える。第１のＣＡＮトランシーバ２０はバッファ２５とバッファ２６を有する。図２に示すように、第１のＣＡＮトランシーバ２０はＣＡＮ−Ｈ端子とＣＡＮ−Ｌ端子とＲＸ端子とＴＸ端子を有する。
【００１３】
第１のＣＡＮトランシーバ２０は、ＣＡＮ−Ｈ端子とＣＡＮ−Ｌ端子が、２線式の第１のＣＡＮネットワーク１１に接続されている。第１のＣＡＮトランシーバ２０においてバッファ２５の入力側はＣＡＮ−Ｈ端子及びＣＡＮ−Ｌ端子が接続され、バッファ２５の出力側はＲＸ端子と接続されている。バッファ２５はＣＡＮ信号を受けて正負の信号を出力する。第１のＣＡＮトランシーバ２０は、送信用の信号出力端子としてのＲＸ端子から信号を出力する。第１のＣＡＮトランシーバ２０においてバッファ２６の入力側はＴＸ端子と接続され、バッファ２５の出力側はＣＡＮ−Ｈ端子及びＣＡＮ−Ｌ端子と接続されている。バッファ２６は正負の信号を受けてＣＡＮ信号を出力する。第１のＣＡＮトランシーバ２０は、受信用の信号入力端子としてのＴＸ端子で信号を入力する。
【００１４】
同様に、図１に示すように、第２のＣＡＮトランシーバ２１はバッファ２７とバッファ２８を有する。第２のＣＡＮトランシーバ２１も第１のＣＡＮトランシーバ２０と同様にＣＡＮ−Ｈ端子とＣＡＮ−Ｌ端子とＲＸ端子とＴＸ端子を有する。
【００１５】
第２のＣＡＮトランシーバ２１は、ＣＡＮ−Ｈ端子とＣＡＮ−Ｌ端子が、２線式の第２のＣＡＮネットワーク１２に接続されている。第２のＣＡＮトランシーバ２１においてバッファ２７の入力側はＣＡＮ−Ｈ端子及びＣＡＮ−Ｌ端子が接続され、バッファ２７の出力側はＲＸ端子と接続されている。バッファ２７はＣＡＮ信号を受けて正負の信号を出力する。第２のＣＡＮトランシーバ２１は、送信用の信号出力端子としてのＲＸ端子から信号を出力する。第２のＣＡＮトランシーバ２１においてバッファ２８の入力側はＴＸ端子と接続され、バッファ２８の出力側はＣＡＮ−Ｈ端子及びＣＡＮ−Ｌ端子と接続されている。バッファ２８は正負の信号を受けてＣＡＮ信号を出力する。第２のＣＡＮトランシーバ２１は、受信用の信号入力端子としてのＴＸ端子で信号を入力する。
【００１６】
このように、第１のＣＡＮトランシーバ２０及び第２のＣＡＮトランシーバ２１のＲＸ端子は、ＣＡＮネットワーク１１，１２から受信した優性／劣性信号を電気光変換回路３０，３１側に正／負で出力する。このとき、第１のＣＡＮトランシーバ２０及び第２のＣＡＮトランシーバ２１は、それぞれ、正論理であり、Ｈを１（正）に、Ｌを０（負）に対応させる。
【００１７】
信号転送装置１０は、第１の電気光変換回路３０と第２の電気光変換回路３１を備える。第１の電気光変換回路３０は、第１のＣＡＮトランシーバ２０のＲＸ端子から出力された信号を光信号に変換して出力するためのものである。第２の電気光変換回路３１は、第２のＣＡＮトランシーバ２１のＲＸ端子から出力された信号を光信号に変換して出力するためのものである。
【００１８】
信号転送装置１０は、第１の光電気変換回路４０と第２の光電気変換回路４１を備える。第１の電気光変換回路３０は第１の光ケーブルＬｏ１の一端と接続されているとともに第１の光電気変換回路４０は第１の光ケーブルＬｏ１の他端と接続されている。第１の光電気変換回路４０は、第１の電気光変換回路３０から出力された光信号を電気信号に変換して第２のＣＡＮトランシーバ２１のＴＸ端子へ出力する。第２の電気光変換回路３１は第２の光ケーブルＬｏ２の一端と接続されているとともに第２の光電気変換回路４１は第２の光ケーブルＬｏ２の他端と接続されている。第２の光電気変換回路４１は、第２の電気光変換回路３１から出力された光信号を電気信号に変換して第１のＣＡＮトランシーバ２０のＴＸ端子へ出力する。
【００１９】
そして、第１のＣＡＮトランシーバ２０及び第２のＣＡＮトランシーバ２１のＴＸ端子は、光電気変換回路４０，４１から正／負の信号（論理）を入力して優性／劣性信号に変換しＣＡＮネットワーク１１，１２へ出力する。
【００２０】
信号転送装置１０は、第１のＮＯＴ回路５０と第２のＮＯＴ回路５１を備える。第１のＮＯＴ回路５０は、第２の光電気変換回路４１の出力信号を反転する。第２のＮＯＴ回路５１は、第１の光電気変換回路４０の出力信号を反転する。
【００２１】
信号転送装置１０は、第１のＡＮＤ回路６０と第２のＡＮＤ回路６１を備える。第１のＡＮＤ回路６０は、第１のＣＡＮトランシーバ２０のＲＸ端子からの信号と第１のＮＯＴ回路５０の出力信号が入力され、第１の電気光変換回路３０に出力する。第２のＡＮＤ回路６１は、第２のＣＡＮトランシーバ２１のＲＸ端子からの信号と第２のＮＯＴ回路５１の出力信号が入力され、第２の電気光変換回路３１に出力する。
【００２２】
第１のＡＮＤ回路６０及び第２のＡＮＤ回路６１は、それぞれ、図２に示すように、オープンコレクタ素子を用いてワイヤードＡＮＤ回路で構成されており、バッファ６５と抵抗６６を有する。詳しくは、ＣＡＮトランシーバ２０（２１）のＲＸ端子がバッファ６５を介して電気光変換回路３０（３１）と接続されている。バッファ６５と電気光変換回路３０（３１）との間には抵抗６６を介して電源６７が接続されるとともにＮＯＴ回路５０（５１）と接続されている。
【００２３】
図１に示すように、信号転送装置１０は、第１の遅延回路７０と第２の遅延回路７１を備える。第１の遅延回路７０は、第２のＣＡＮトランシーバ２１から第１のＣＡＮトランシーバ２０への信号レベルが優性から劣性になったときに第２の光電気変換回路４１の出力信号を遅延して第１のＮＯＴ回路５０に送る。第２の遅延回路７１は、第１のＣＡＮトランシーバ２０から第２のＣＡＮトランシーバ２１への信号レベルが優性から劣性になったときに第１の光電気変換回路４０の出力信号を遅延して第２のＮＯＴ回路５１に送る。
【００２４】
第１の遅延回路７０及び第２の遅延回路７１は、それぞれ、図３に示すように、ダイオード７５と抵抗７６とコンデンサ７７を有する。ＣＡＮトランシーバ２０（２１）のＴＸ端子と光電気変換回路４１（４０）との間の接続点ｂは、ダイオード７５を介してＮＯＴ回路５０（５１）と接続されているとともに、ダイオード７５に対し抵抗７６が並列接続されている。ダイオード７５とＮＯＴ回路５０（５１）の間の接続点ｃは、コンデンサ７７を介してグランド７８に接続されている。抵抗７６の抵抗値とコンデンサ７７の容量により時定数（遅延時間）が決められる。
【００２５】
次に、信号転送装置１０の作用について説明する。
基本的な動作としては、ＣＡＮネットワーク１１からＣＡＮトランシーバ２０が受けた優性／劣性信号を、光リンクを通して送信し、その光信号を電気信号に変換してＣＡＮトランシーバ２１に出力し、ＣＡＮネットワーク１２へ送信する。また、ＣＡＮネットワーク１２からＣＡＮトランシーバ２１で受けた信号も同様に光リンクを通してＣＡＮトランシーバ２０へ入力し、ＣＡＮネットワーク１１へ送信する。こうすることで双方向の通信を実現する。
【００２６】
まず、第１のＣＡＮネットワーク１１から第２のＣＡＮネットワーク１２に優性信号を転送する場合について、図４（ａ）〜図４（ｌ）を用いて説明する。
なお、一対のＣＡＮトランシーバ２０，２１間では優性信号（ドミナント信号）を正、劣性信号（リセッシブ信号）を負として扱うものとする。
【００２７】
図４（ａ）〜図４（ｌ）においてｔ１のタイミングで第１のＣＡＮトランシーバ２０が優性信号を入力するとともにｔ２のタイミングで第１のＣＡＮトランシーバ２０が劣性信号を入力している。
【００２８】
図４（ａ），（ｂ）のｔ１のタイミングで第１のＣＡＮトランシーバ２０が第１のＣＡＮネットワーク１１から優性信号を受ける。すると、図４（ｃ）に示すように第１のＣＡＮトランシーバ２０のＲＸ端子の出力が正となり、光ケーブルＬｏ１を伝って図４（ｇ）に示すように第２のＣＡＮトランシーバ２１のＴＸ端子に正が入力される。
【００２９】
そして、図４（ｈ），（ｉ）に示すように第２のＣＡＮトランシーバ２１が優性信号を出力して図４（ｊ）に示すように第２のＣＡＮトランシーバ２１は自身の出力した優性信号を受けてＲＸ端子から正を出力する。
【００３０】
ここで、ＮＯＴ回路５１とＡＮＤ回路６１が無いと、光ケーブルＬｏ２を伝って第１のＣＡＮトランシーバ２０に正が入力され、第１のＣＡＮトランシーバ２０が優性信号を出力する。すると、優性信号が系を一巡して、ＣＡＮネットワーク１１，１２が共に優性信号でロックされてしまう。
【００３１】
これに対し本実施形態では以下のようになる。
一対のＣＡＮトランシーバ２０，２１間において、ＮＯＴ回路５０，５１と、ＣＡＮトランシーバ２０，２１のＲＸ端子から出力されるＣＡＮトランシーバが受信した優性／劣性信号を条件によって出力するＡＮＤ回路（論理回路）６０，６１と、を有する。また、電気信号の遅延により誤パルスが送信されることを防止するための遅延回路（伝達時間調整回路）７０，７１を備える。
【００３２】
一対のＣＡＮトランシーバ２０，２１のうち単純に自身が受けた信号を渡すだけの構成とした場合、どちらかのＣＡＮネットワーク１１，１２が優性となった場合、双方のＣＡＮトランシーバ２０，２１の入力／出力全てが優性となり系全体が優性でロック（固着）するため、通信が成立しなくなる。
【００３３】
これを回避すべく次のようになる。ＣＡＮトランシーバ２１が光リンクを通じて優性信号を受信した場合、ＣＡＮネットワーク１２はＣＡＮトランシーバ２１を通じて優性信号を出力する。ここで、ＣＡＮネットワーク１２が優性となったことを受けてＣＡＮトランシーバ２１のＲＸ端子から出力される優性信号（正）はＮＯＴ回路５１とＡＮＤ回路６１で遮断され、第２の光ケーブル（光ネットワーク）Ｌｏ２を通じて優性信号（正）を送信することが防止される。つまり、図４（ｇ）のようにＴＸ端子が正になるとＮＯＴ回路５１により図４（ｋ）に示すようにＡＮＤ回路６０の一方の入力端子が負になり、図４（ｊ）に示すようにＲＸ端子が正になっても図４（ｌ）に示すようにＡＮＤ回路６１の出力は負のままである。
【００３４】
なお、ＣＡＮ通信の特性上、ＣＡＮネットワーク１２に接続されたＣＡＮトランシーバ２１が優性信号を出力している間は、優性信号を出さずとも論理は優性と決まっているため、ＣＡＮトランシーバ２１は優性信号を送信せずともＣＡＮネットワークの論理に影響は生じない。
【００３５】
遅延回路（伝達時間調整回路）７１により、図４（ａ），（ｂ）に示すごとくｔ２のタイミングでＣＡＮ信号レベルが優性から劣性になることに伴い図４（ｇ）で示すようにＣＡＮトランシーバ２１のＴＸ端子が負に立ち下がった時に図４（ｋ）に示すようにＮＯＴ回路５１への出力に遅延時間τが設けられる。これにより、図４（ｊ）に示すようにＣＡＮトランシーバ２１のＲＸ端子から劣性信号が出力されるまでの間において、各要素（各部品）の伝搬時間により誤信号が送信されることが防止される。具体的には、図４（ｊ）におけるＲＸ端子が負に立ち下がる前にＡＮＤ回路６１におけるＮＯＴ回路５１からの信号が正に立ち上がることによりＡＮＤ回路６１から正の信号が出力されるのが防止される。即ち、図４（ｇ）に示すようにＣＡＮトランシーバ２１のＴＸ端子が負の信号を受信してから図４（ｊ）に示すようにＣＡＮトランシーバ２１のＲＸ端子が負の信号を出力するまでの期間において誤った信号が送信されることが防止される。
【００３６】
第２のＣＡＮネットワーク１２から第１のＣＡＮネットワーク１１に優性信号を転送する場合も同様である。つまり、ＣＡＮトランシーバ２０が光リンクを通じて優性信号を受信した場合、ＣＡＮネットワーク１１にはＣＡＮトランシーバ２０を通じて優性信号を出力する。ここで、ＣＡＮネットワーク１２が優性となったことを受けてＣＡＮトランシーバ２０のＲＸ端子から出力される優性信号はＮＯＴ回路５０とＡＮＤ回路６０で遮断され、第１の光ケーブル（光ネットワーク）Ｌｏ１を通じて優性信号を送信することが防止される。
【００３７】
また、遅延回路（伝達時間調整回路）７０により、ＣＡＮ信号レベルが優性から劣性になることに伴いＣＡＮトランシーバ２０のＴＸ端子が負に立ち下がった時にＮＯＴ回路５０への出力に遅延時間が設けられる。これにより、ＣＡＮトランシーバ２０のＲＸ端子から劣性信号が出力されるまでの間において、各要素（各部品）の伝搬時間により誤信号が送信されることが防止される。即ち、ＣＡＮトランシーバ２０のＴＸ端子が負の信号を受信してからＣＡＮトランシーバ２０のＲＸ端子が負の信号を出力するまでの期間において誤った信号が送信されることが防止される。
【００３８】
このようにして、ＣＡＮバスを光リンクで結合する際、優性信号でロックされる不都合を組み合わせ論理回路（ＮＯＴ回路、ＡＮＤ回路）で回避することができる。この際、例えば、多数の論理ゲートや順序論理回路（フリップフロップ、ラッチ回路）を用いる場合に比べ、本実施形態は組み合わせ論理回路（ＮＯＴ回路、ＡＮＤ回路）のみで，ゲート数も最小１ゲートで構成可能なため、簡単な回路構成とすることができる。また、比較例として、順序論理回路（ラッチ回路）を用いて方向検出信号を生成する場合に比べ、組み合わせ論理回路のみで優性信号でロックされることが回避でき簡単な回路となる。
【００３９】
上記実施形態によれば、以下のような効果を得ることができる。
（１）信号転送装置１０の構成として、通信ネットワークとしてのＣＡＮネットワーク１１，１２に接続され、送信用の信号出力端子としてのＲＸ端子から信号を出力するとともに受信用の信号入力端子としてのＴＸ端子で信号を入力する通信トランシーバとしてのＣＡＮトランシーバ２０，２１を備える。電気信号を光信号に変換して出力するための電気光変換回路３０，３１と、光信号を電気信号に変換してＣＡＮトランシーバ２０，２１のＴＸ端子へ出力する光電気変換回路４０，４１を備える。さらに、光電気変換回路４０，４１の出力信号を反転するＮＯＴ回路５０，５１と、ＣＡＮトランシーバ２０，２１のＲＸ端子からの信号とＮＯＴ回路５０，５１の出力信号が入力され、電気光変換回路３０，３１に出力するＡＮＤ回路６０，６１とを備える。よって、ＣＡＮ送信信号の信号レベルが優性（ドミナント）である場合にＣＡＮ受信信号の信号レベルを劣性（レセッシブ）に保持することができる。詳しくは、本実施形態ではＡＮＤ回路は電源に直接繋がっておらず、ＣＡＮトランシーバへの信号レベルが優性になった場合に信号レベルを劣性に確実に保持することができる。
【００４０】
（２）ＡＮＤ回路６０，６１をワイヤードＡＮＤ回路で構成した。よって、実用的である。
（３）ＣＡＮトランシーバ２０，２１への信号レベルが優性から劣性になったときに光電気変換回路４０，４１の出力信号を遅延してＮＯＴ回路５０，５１に送る遅延回路７０，７１を更に備えた。よって、ＣＡＮトランシーバのＴＸ端子が負の信号を受信してからＣＡＮトランシーバのＲＸ端子が負の信号を出力するまでに動作遅れがあり、この遅延時間によりＡＮＤ回路６０，６１から誤った信号が送信されることを防止できる。
【００４１】
実施形態は前記に限定されるものではなく、例えば、次のように具体化してもよい。
○  遅延回路（伝達時間調整回路）は、挿入せずとも通信が成立する場合は不要である。つまり、ＡＮＤ回路から信号が出ても不都合が生じない場合や各部品が高速に動作可能であり、遅れが生じにくい場合には遅延回路（伝達時間調整回路）は不要である。
【００４２】
○  ＡＮＤ回路（論理回路）はオープンコレクタ素子を用いたが、これに限るものではない。
○  図１におけるＣＡＮトランシーバ２０，２１は正論理であったが、図５に示すように、ＣＡＮトランシーバ８０，８１は負論理でもよい。即ち、第１のＣＡＮトランシーバ８０及び第２のＣＡＮトランシーバ８１は、それぞれ、負論理であり、Ｈを０に、Ｌを１に対応させる。この場合には、ＣＡＮトランシーバ８０のＲＸバー端子にインバータ（ＮＯＴゲート）８２を接続するとともにＴＸバー端子にインバータ（ＮＯＴゲート）８３を接続する。また、ＣＡＮトランシーバ８１のＲＸバー端子にインバータ（ＮＯＴゲート）８４を接続するとともにＴＸバー端子にインバータ（ＮＯＴゲート）８５を接続する。
【００４３】
○  遅延回路（伝達時間調整回路）は、通信が成立する範囲で各所に入れてよい。例えば、図６に示すように、遅延回路（伝達時間調整回路）９０，９１，９２を挿入してもよい。
【００４４】
○  通信ネットワークはＣＡＮネットワークであったがこれに限るものではない。
【符号の説明】
【００４５】
１０…信号転送装置、１１，１２…ＣＡＮネットワーク（通信ネットワーク）、２０，２１…ＣＡＮトランシーバ（通信トランシーバ）、３０，３１…電気光変換回路、４０，４１…光電気変換回路、５０，５１…ＮＯＴ回路、６０，６１…ＡＮＤ回路、７０，７１…遅延回路。
【図１】
2019041146.tif 000003
【図２】
2019041146.tif 000004
【図３】
2019041146.tif 000005
【図４】
2019041146.tif 000006
【図５】
2019041146.tif 000007
【図６】
2019041146.tif 000008